(57)【要約】【課題】冷蔵庫の前面扉を単独に開閉操作できる状態と内扉と一体的に開閉操作できる状態との２様の開閉操作が可能なものがあるが、前面扉と内扉は同軸回動のため、内扉の軸支持部分は前面扉の裏側周縁に取り付けたパッキング材によるシール部分を通して延び、この部分のシール構造が複雑化する問題がある。【解決手段】貯蔵室の前面開口を開閉する断熱扉の裏側に同方向へ回動する内扉を設け、この内扉は前面に小物収納棚を備えて前記前面開口を略全体的にカバーする大きさの透明な合成樹脂板で構成され、内扉は断熱扉に対して吸着保持される永久磁石装置を備え、貯蔵庫本体には断熱扉の前面側から操作可能な操作部によって作動して内扉を貯蔵庫の前面開口をカバーするロック状態とロック解除状態とに切り替えるロック装置を設け、ロック状態では内扉の上端が冷気吹き出し口に対応して吹き出す冷気が内扉の前後両側に分流する位置をとること。【選択図】      図２
2004211977.tif 000002
【特許請求の範囲】
【請求項１】
貯蔵庫本体内に前面開口の貯蔵室が形成され、前記貯蔵室の前面開口を右開き又は左開きに開閉する断熱扉が前記貯蔵庫本体に回動自在にヒンジ装置によって支持され、前記貯蔵室の上前部には下方へ冷気を吹き出す冷気吹き出し口が設けられ、前記断熱扉はその裏面に複数段の物品収納棚を備え、前記貯蔵室の前記断熱扉の裏側には前記ヒンジ装置側と同じ側で前記断熱扉に回動自在に支持された内扉を設け、この内扉はその前面に小物収納棚を備えて前記貯蔵庫の前面開口を略全体的にカバーする大きさの透明な合成樹脂板で構成され、前記内扉は前記断熱扉に対して吸着保持される永久磁石装置を備え、前記貯蔵庫本体には前記断熱扉の前面側から操作可能な操作部によって作動して前記内扉を前記貯蔵庫の前面開口をカバーするロック状態とロック解除状態とに切り替えるロック装置を設け、前記ロック状態では前記内扉の上端が冷気吹き出し口に対応して吹き出す冷気が前記内扉の前後両側に分流する位置をとり、前記ロック解除状態では前記永久磁石装置による吸着のまま前記断熱扉の開閉と共に前記内扉が開閉され、前記ロック状態では前記永久磁石装置による吸着に抗して前記内扉を残したまま前記断熱扉を開くことができることを特徴とする内扉付き貯蔵庫。
【請求項２】
前記内扉は、前記断熱扉の裏側周縁に取り付けたパッキングで囲まれた内側で前記断熱扉に回動自在に支持されたことを特徴とする請求項１に記載の内扉付き貯蔵庫。
【請求項３】
貯蔵庫本体内に前面開口の貯蔵室が形成され、前記貯蔵室の前面開口を開閉する断熱扉が前記貯蔵庫本体に回動自在に支持され、前記貯蔵室の上前部には下方へ冷気を吹き出す冷気吹き出し口が設けられ、前記貯蔵室の前記断熱扉の裏側には回動自在に支持された内扉を設け、前記内扉の上端が冷気吹き出し口に対応して吹き出す冷気が前記内扉の前後両側に分流する位置をとることを特徴とする内扉付き貯蔵庫。
【発明の詳細な説明】
【０００１】
【発明の属する技術分野】
本発明は、貯蔵室の前面開口を開閉する断熱扉の裏側に内扉を設けた内扉付き貯蔵庫に関する。
【０００２】
【従来の技術】
冷蔵庫の貯蔵室の前面開口を開閉する前面扉の裏側に内扉を設けた内扉付き冷蔵庫がある（例えば、特許文献１、２、３参照）。特許文献１のものは、前面扉の裏側にドアポケットを備え、内扉は左右２枚構成であって前面側に内ポケットを備え、それぞれの内扉は横方向へ回動可能に軸支持されている。
【０００３】
また、特許文献２のものは、前面扉の裏側の凹部に嵌り込むように内扉が設けられ、前面扉と内扉は同軸にて回動する構成である。そして、前面扉の裏側と内扉の裏側面の少なくとも一方に収納ポケットが設けられている。また、前面扉の取っ手部には、前面扉を単独に開閉操作できる状態と、内扉と一体的に開閉操作できる状態との２様の開閉操作が可能な構成を形成している。更に、内扉を板状の透明体とすることで、冷蔵室内を外部から目視にて確認できると記載されている。
【０００４】
また、特許文献３のものは、前面扉の裏側に内扉が設けられ、前面扉の裏側には収納ポケットは形成されず内扉の前後両面にのみ収納ポケットが設けられており、前面扉の裏側に収納ポケットが形成されない点で特許文献２のものと共通する。そして、前面扉の裏側又は内扉内にダクトを形成して、内扉の前後両面の収納ポケットへ冷気循環させる構成である。前面扉は内扉とは独立して開くことができるとともに、内扉は上下に分割されていて前面扉の取っ手の握部の握り方によって所望の内扉を開くことができる構成である。
【０００５】
【特許文献１】
特開２００１−２８０８２０号公報（第１〜２頁、図１〜２）
【特許文献２】
特開２００１−１０８３５７号公報（第１〜３頁、図１〜４）
【特許文献３】
特開２０００−６５４５９号公報（第１〜２頁、図１〜６）
【０００６】
【発明が解決しようとする課題】
特許文献１のものは、内扉は左右２枚構成であるため前面扉と同時に開閉できず、内扉の後方の貯蔵室内への物品の出し入れや、貯蔵室内の物品の確認を行う場合は、必ず前面扉を開いてから内扉を開くように２回の操作が必要であり、不便が伴う。これに対して特許文献２のものは、前面扉を単独に開閉操作できる状態と内扉と一体的に開閉操作できる状態との２様の開閉操作が可能であるが、前面扉と内扉は同軸にて回動する構成であるため、内扉の軸支持部分は前面扉の裏側周縁に取り付けたパッキング材によるシール部分を通して延びるため、この部分のシール構造が複雑化する問題がある。また特許文献３のものは、前面扉の裏側のダクト形成によって内扉の前後両面の収納ポケットへ冷気循環させる効果があるが、ダクト形成が必要となり、前面扉の裏側には収納ポケットは形成されない。また内扉内にダクトを形成すれば内扉の構成も複雑化する問題がある。
【０００７】
本発明はこのような点に鑑み、内扉を開かなくても貯蔵室の貯蔵状態が目視可能であり、前面扉を単独に開閉操作できる状態と内扉と一体的に開閉操作できる状態との選択が可能な前面扉と内扉との二重扉構成を採るが、前面扉はその裏側周縁部に取り付けたパッキングによるシール構成が簡単である内扉付き貯蔵庫を提供するものである。
【０００８】
【課題を解決するための手段】
本発明の内扉付き貯蔵庫は、貯蔵庫本体内に前面開口の貯蔵室が形成され、前記貯蔵室の前面開口を右開き又は左開きに開閉する断熱扉が前記貯蔵庫本体に回動自在にヒンジ装置によって支持され、前記貯蔵室の上前部には下方へ冷気を吹き出す冷気吹き出し口が設けられ、前記断熱扉はその裏面に複数段の物品収納棚を備え、前記貯蔵室の前記断熱扉の裏側には前記ヒンジ装置側と同じ側で前記断熱扉に回動自在に支持された内扉を設け、この内扉はその前面に小物収納棚を備えて前記貯蔵庫の前面開口を略全体的にカバーする大きさの透明な合成樹脂板で構成され、前記内扉は前記断熱扉に対して吸着保持される永久磁石装置を備え、前記貯蔵庫本体には前記断熱扉の前面側から操作可能な操作部によって作動して前記内扉を前記貯蔵庫の前面開口をカバーするロック状態とロック解除状態とに切り替えるロック装置を設け、前記ロック状態では前記内扉の上端が冷気吹き出し口に対応して吹き出す冷気が前記内扉の前後両側に分流する位置をとり、前記ロック解除状態では前記永久磁石装置による吸着のまま前記断熱扉の開閉と共に前記内扉が開閉され、前記ロック状態では前記永久磁石装置による吸着に抗して前記内扉を残したまま前記断熱扉を開くことができることを特徴とする。
【０００９】
これによって、前面扉を単独に開閉操作できる状態と内扉と一体的に開閉操作できる状態との選択が可能な前面扉と内扉との二重扉構成を採るが、内扉を開かなくても断熱扉を開くだけで貯蔵室の貯蔵状態が目視可能であり、無益な冷気漏洩が抑止できる。また、内扉が冷気の分流機能を有するため、特別な分流装置の構成を採る必要もなくなる。そして、頻繁に使う物は断熱扉の裏側の物品収納棚部や内扉の前面側の小物収納棚部に収納すればよく、ここに収納されたものは、断熱扉と内扉間を流れる冷気によって冷却され、貯蔵上問題はない。
【００１０】
また、前記内扉は、前記断熱扉の裏側周縁に取り付けたパッキングで囲まれた内側で前記断熱扉に回動自在に支持されたことを特徴とする。これによって、内扉は断熱扉の周縁パッキングの内側に取り付けられているため、このパッキングによるシール機能の阻害がなく、断熱扉による本来の断熱効果が低下せず、むしろ内扉によって冷蔵庫全体の断熱効果が向上する。
【００１１】
また、本発明の内扉付き貯蔵庫は、貯蔵庫本体内に前面開口の貯蔵室が形成され、前記貯蔵室の前面開口を開閉する断熱扉が前記貯蔵庫本体に回動自在に支持され、前記貯蔵室の上前部には下方へ冷気を吹き出す冷気吹き出し口が設けられ、前記貯蔵室の前記断熱扉の裏側には回動自在に支持された内扉を設け、前記内扉の上端が冷気吹き出し口に対応して吹き出す冷気が前記内扉の前後両側に分流する位置をとることを特徴とする。
【００１２】
これによって、内扉が冷気の分流機能を有するため、特別な分流装置の構成を採る必要もなく、冷気配分機構が簡素化される。そして、断熱扉の裏側の物品収納棚部に収納した物品は、断熱扉と内扉間を流れる冷気によって冷却され、貯蔵上問題はない。
【００１３】
【発明の実施の形態】
次に、本発明を貯蔵庫の一種である冷蔵庫について説明する。各図は本発明の実施形態を示しており、図１は本発明に係る冷蔵庫の上部縦断面図、図２は本発明に係る冷蔵庫の断熱扉と内扉の開状態説明図、図３は本発明に係る内扉のロック装置の説明図、図４は断熱扉のみを開いた状態の平面矢視での説明図であり、（イ）は断熱扉が閉じた状態、（ロ）は断熱扉が３０度開いた状態、（ハ）は断熱扉が６０度開いた状態、（ニ）は断熱扉が９０度開いた状態である。
【００１４】
これらの図において、１は貯蔵庫の一つである冷蔵庫であり、前面開口の本体２内を区画して複数の貯蔵室を形成し、これら各貯蔵室の前面は扉で開閉できる構成である。この冷蔵庫において、本発明の内扉を貯蔵室の一つである冷蔵室に適用した場合を説明する。冷蔵庫本体２は、外箱（外壁板）と内箱（内壁板）との間に発泡断熱材を充填した断熱構造である。３は冷蔵庫本体２内上部に形成した冷蔵室、４はその下方に区画形成した野菜室である。
【００１５】
冷蔵室３の前面開口は、冷蔵庫本体２の一側部に上下のヒンジ装置９にて横方向に回動して開閉されるように支持された回動式の断熱扉１０にて閉塞されている。断熱扉１０は外板と内板との間に発泡断熱材を充填した断熱構造であり、取っ手５によって開閉される。１１は野菜室４の前面開口を開閉する野菜室用断熱扉である。
【００１６】
冷蔵室用断熱扉１０は、その裏側の左右両側に縦方向に延びた突壁７Ａ、７Ｂを形成し、この突壁７Ａ、７Ｂ間に複数段の物品収納棚部６Ａ、６Ｂ、６Ｃを形成している。また冷蔵室用断熱扉１０の裏側周縁部には、突壁７Ａ、７Ｂと物品収納棚部６Ａ、６Ｂ、６Ｃを取り囲んでパッキング８が取り付けられ、断熱扉１０が閉じたとき、このパッキング８が冷蔵室３の前面開口周縁で冷蔵庫本体２に密着して、断熱扉１０と冷蔵庫本体２との間の気密を保つ構成である。この気密を良好に保持するためには、パッキング８に可撓性のゴム磁石を収納し、このゴム磁石が冷蔵庫本体２に吸着する構成とする。
【００１７】
１２は断熱扉１０の裏側の配置した内扉であり、この内扉１２はその前面に小物収納棚部１３を備え、冷蔵室３前面開口を略全体的にカバーする大きさの透明な合成樹脂板で構成している。内扉１２は、ヒンジ装置９側と同じ側（図２では右側）で断熱扉１０に回動自在に支持されている。その一つの実施形態として、図示のように、ヒンジ装置９側の突壁７Ａに取り付けた上下のヒンジ装置１４にて、断熱扉１０に回動自在に支持されている。
【００１８】
断熱扉１０と内扉１２は、断熱扉１０を内扉１２が閉じた状態で単独に開閉操作できる状態と、内扉１２と一体的に開閉操作できる状態との２通りの開閉操作が可能な構成である。以下、この構成について説明する。１５は内扉１２を冷蔵室３の前面開口をカバーするロック状態とこのロックを外したロック解除状態とに切り替えるロック装置である。ロック装置１５は、取っ手５に設けたスイッチ１６のＯＮにて通電されＯＦＦにて非通電となる電磁石１７と、この電磁石１７によって内扉１２をロック状態位置とロック解除状態位置とに作動するロック部材１８を備えている。
【００１９】
ロック部材１８は、基部１９が冷蔵庫本体２に固定された板バネで構成され、内扉１２を閉じるとき、内扉１２が１２Ａの位置から１２Ｂの位置へ移動することに伴って内扉１２の下端によって押されて下方へ撓み、内扉１２が冷蔵室３の前面開口をカバーする状態に閉じたときには内扉１２の下端に係止部２０が係止するように復帰する。ロック部材１８が内扉１２の下端に係止したロック状態において、スイッチ１６のＯＮにて電磁石１７に通電すると、ロック部材１８が電磁石１７のプランジャ２１によって下方へ引っ張られて撓み、ロック部材１８による内扉１２のロック状態は解除される。このロック状態が解除されたとき、内扉１２は前方へ開くことができる。
【００２０】
冷蔵室３の冷却は、冷蔵室の背壁内に設置した冷却器２２で冷却した空気（以下、冷気という）を送風機２３によって冷蔵室３へ循環して行われる。送風機２３で送られる冷気は、冷蔵室３の背面の吹き出し口２４から噴き出す冷気と、冷蔵室３の上面に形成したダクト２５を通って冷蔵室３の前面開口上部の略全域に渡って形成した吹き出し口２６から噴き出す冷気とによって冷却される。この場合、内扉１２が閉じた状態では、吹き出し口２６から噴き出す冷気は、内扉１２の上端によって二分され、その一方の冷気は、内扉１２の裏側へ流れて主として冷蔵室３の前面開口部を冷却し、もう一方の冷気は、断熱扉１０と内扉１２との間の空間２８に流れて断熱扉１０裏側の物品収納棚部６Ａ、６Ｂ、６Ｃと内扉１２の前面の小物収納棚部１３を冷却する。
【００２１】
内扉１２の下端は冷蔵室３の底面から間隔２７を存して設けられ、その間隔２７が断熱扉１０と内扉１２との間の空間２８を流れた冷気の冷気帰還通路として作用する。冷蔵室３の冷気の流れは図１に矢印で示している。
【００２２】
内扉１２がロック解除状態では、断熱扉１０と共に前方へ開くことができるようにするために、断熱扉１０と内扉１２には永久磁石装置２８、２９を設けている。この永久磁石装置２８、２９は、両方とも吸引し合う永久磁石であってもよく、また一方が永久磁石であって他方がこの永久磁石に吸着する磁性体であってもよい。この永久磁石装置２８、２９は、内扉１２のロック解除状態では断熱扉１０を開くと内扉１２が永久磁石装置２８、２９による吸着にて断熱扉１０と同時に開かれ、内扉１２のロック状態において断熱扉１０のみを開くと、ロック装置１５が内扉１２を保持したままこの永久磁石装置２８、２９が分離するような吸着力である。
【００２３】
なお、このロック状態が解除されたとき、内扉１２が若干前方へ、例えば、１２Ｂの位置から１２Ａの位置へ自動的に開くようにヒンジ装置１４にバネを付加した構成とすることもできる。
【００２４】
内扉１２を冷蔵室３の前面開口をカバーしたロック状態のままで断熱扉１０のみを開くとき、内扉１２がそのロック状態の位置のまま動かないことが望ましいが、内扉１２が断熱扉１０にヒンジ装置１４で支持されているため、内扉１２はヒンジ装置１４側が若干前方へ移動することがある。この移動を少なくするためには、内扉１２のヒンジ装置１４は、ヒンジ装置９の軸９Ａを中心とした断熱扉１０の回動中心に近い位置に内扉１２の回動中心を設けるようにすれば改善される。内扉１２が若干前方へ移動しても、冷蔵室３の前面開口をカバーする内扉１２の役目は実質的に失われず、断熱扉１０を開いても冷蔵室３の前面開口は内扉１２で実質的にカバーされた状態であり、内扉１２による冷蔵室３の冷気漏れの抑制効果は発揮される。
【００２５】
本発明は、上記のように冷蔵室３の前面扉である断熱扉１０を単独に開閉操作できる状態と内扉１２と一体的に開閉操作できる状態との２通りの開閉操作が可能であり、そのために内扉１２の開閉を制御するロック装置１５を設け、内扉１２は閉じたロック状態では内扉１２の上端が冷気吹き出し口２６に対応して吹き出す冷気が内扉１２の前後両側に分流する位置をとり、ロック解除状態では永久磁石装置２８、２９による吸着のまま断熱扉１０の開閉と共に内扉１２が開閉され、ロック状態では永久磁石装置２８、２９による吸着に抗して内扉１２を残したまま断熱扉１０を開くことができる。
【００２６】
本発明によれば、内扉１２を開かなくても断熱扉１０を開くだけで貯蔵室３の貯蔵状態が目視可能であり、無益な冷気漏洩が抑止できる。また、内扉１２が冷気の分流機能を有するため、特別な分流装置の構成を採る必要もなくなる。そして、頻繁に使う物は断熱扉１０の裏側の物品収納棚部６Ａ〜６Ｃや内扉１２の前面側の小物収納棚部１３に収納すればよく、ここに収納されたものは、断熱扉１０と内扉１２間を流れる冷気によって冷却され、貯蔵上問題はない。このため、物品収納棚部６Ａ〜６Ｃには、卵、ペットボトルや紙パック入り飲料、ビン入り調味料等を収納し、小物収納棚部１３にはチューブや小瓶や平パックされたわさびやしょうが等の香辛料や調味料等を収納すれば、これらの収納取り出しの便利さと冷気漏れの抑制効果が得られる。
【００２７】
また、内扉１２は断熱扉１０の周縁パッキングの内側に取り付けられているため、このパッキングによるシール機能の阻害がなく、断熱扉１０による本来の断熱効果が低下せず、むしろ内扉１２によって冷蔵庫全体の断熱効果が向上する。
【００２８】
本発明は、冷蔵庫の他に冷凍庫、恒温庫等種々の貯蔵庫に適用できるものである。したがって、本発明は、本発明の技術的範囲を逸脱しない限り種々の変更が考えられ、それに係る種々の実施形態を包含するものである。
【００２９】
【発明の効果】
本発明は、内扉を開かなくても断熱扉を開くだけで貯蔵室の貯蔵状態が目視可能であり、無益な冷気漏洩が抑止できる。また、内扉が冷気の分流機能を有するため、特別な分流装置の構成を採る必要もなくなる。そして、頻繁に使う物は断熱扉の裏側の物品収納棚部や内扉の前面側の小物収納棚部に収納すればよく、ここに収納されたものは、断熱扉と内扉間を流れる冷気によって冷却され、貯蔵上問題はない。
【００３０】
また、内扉は断熱扉の周縁パッキングの内側に取り付けられているため、このパッキングによるシール機能の阻害がなく、断熱扉による本来の断熱効果が低下せず、むしろ内扉によって冷蔵庫全体の断熱効果が向上する。
【００３１】
また、内扉の上端が冷気吹き出し口に対応して吹き出す冷気が内扉の前後両側に分流する位置をとることによって、内扉が冷気の分流機能を有するため、特別な分流装置の構成を採る必要もなく、冷気配分機構が簡素化される。そして、断熱扉の裏側の物品収納棚部に収納した物品は、断熱扉と内扉間を流れる冷気によって冷却され、貯蔵上問題はない。
【図面の簡単な説明】
【図１】本発明に係る冷蔵庫の上部縦断面図である。
【図２】本発明に係る冷蔵庫の断熱扉と内扉の開状態説明図である。
【図３】本発明に係る内扉のロック装置の説明図である。
【図４】本発明に係る断熱扉のみを開いた状態の平面矢視での説明図であり、（イ）は断熱扉が閉じた状態、（ロ）は断熱扉が３０度開いた状態、（ハ）は断熱扉が６０度開いた状態、（ニ）は断熱扉が９０度開いた状態である。℃の部分の説明図である。
【符号の説明】
１・・・貯蔵庫（冷蔵庫）
２・・・貯蔵庫本体（冷蔵庫本体）
３・・・貯蔵室（冷蔵室）
５・・・取っ手
６Ａ〜６Ｃ・・・物品収納棚部
８・・・パッキング
１０・・・断熱扉
１２・・・内扉
１３・・・小物収納棚部
１８・・・ロック装置
２８、２９・・・永久磁石装置
【図１】
2004211977.tif 000003
【図２】
2004211977.tif 000004
【図３】
2004211977.tif 000005
【図４】
2004211977.tif 000006